(57)【要約】【課題】キャビネット同士を確実に固定しつつ、できるだけ大きなバッテリを収容し得るようにする。【解決手段】携帯端末は、第１キャビネット３と第２キャビネット４とを有し、第１キャビネット３と第２キャビネット４との内部にバッテリ６が収容されている。第２キャビネット４には、第１キャビネット３に形成されている係止孔３ｄに嵌入される係止爪４ｂが形成され、第１キャビネット３には、第２キャビネット４における係止爪４ｂが形成されている側と反対側の表面に当接するストッパ部材１３が取付固定されている。【選択図】図１
2014017727.tif 000002
【特許請求の範囲】
【請求項１】
第１キャビネットと第２キャビネットとを有し、該第１キャビネットと該第２キャビネットとの内部にバッテリが収容された携帯端末であって、
上記第２キャビネットには、上記第１キャビネットに形成されている係止孔に嵌入される係止爪が形成され、
上記第１キャビネットには、上記第２キャビネットにおける上記係止爪が形成されている側と反対側の表面に当接するストッパ部材が取付固定されている
ことを特徴とする携帯端末。
【請求項２】
請求項１に記載された携帯端末において、
上記ストッパ部材は、ストッパ本体と該ストッパ本体から延設されたストッパ係合爪とを有し、上記ストッパ係合爪が上記第１キャビネットに形成されている係合穴に嵌入することによって上記第１キャビネットに係合している
ことを特徴とする携帯端末。
【請求項３】
請求項２に記載された携帯端末において、
上記第１キャビネットには、上記係合穴に嵌入している上記ストッパ係合爪の先端が露出するように開口した開口部が形成されている
ことを特徴とする携帯端末。
【請求項４】
請求項１乃至４の何れか１つに記載された携帯端末において、
上記バッテリは矩形板状に形成され、
上記ストッパ部材は、上記バッテリの長辺に沿って複数配置されている
ことを特徴とする携帯端末。
【発明の詳細な説明】
【技術分野】
【０００１】
本発明は、携帯電話機などの携帯端末に関し、特にその筐体の構造に関する。
【背景技術】
【０００２】
一般に、携帯端末の筐体は互いに連結される複数のキャビネットを有し、これらのキャビネット内に液晶ディスプレイ、バッテリ、基板等が内蔵されている。
【０００３】
例えば、特許文献１における携帯端末の筐体は、上側キャビネットと、下側キャビネットと、これら上側及び下側キャビネットの間に介在された表示パネルを保持する保持キャビネットとを有している。
【０００４】
上記保持キャビネットは、上側キャビネットに係止するための係止爪と、下側キャビネットにネジによって締結するためのボスとを有している。係止爪は、ボスに隣接して配置されている。
【先行技術文献】
【特許文献】
【０００５】
【特許文献１】特開２００４−７０６５７号公報
【発明の概要】
【発明が解決しようとする課題】
【０００６】
ところで、携帯端末の筐体は、その外形を大きくせずになるべく大きいバッテリを格納できることが好ましい。
【０００７】
しかし、上記特許文献１の携帯端末では、バッテリの側方においてボスがキャビネットに形成されているので、そのボスの配置スペースの分だけバッテリを側方に大きく設計できない。一方、ボスが無ければ、係止爪だけによってキャビネット同士を強固に組み付けることはできない。
【０００８】
本発明は、かかる点に鑑みてなされたものであり、その目的とするところは、第１キャビネットと第２キャビネットとを確実に固定しつつ、できるだけ大きなバッテリを収容し得るようにすることにある。
【課題を解決するための手段】
【０００９】
上記の目的を達成するために、この発明では、第２キャビネットにおける係止爪が形成されている側と反対側の表面にストッパ部材を当接させるようにした。
【００１０】
具体的に、第１の発明は、第１キャビネットと第２キャビネットとを有し、該第１キャビネットと該第２キャビネットとの内部にバッテリが収容された携帯端末を対象としている。
【００１１】
そして、上記携帯端末において、
上記第２キャビネットには、上記第１キャビネットに形成されている係止孔に嵌入される係止爪が形成され、
上記第１キャビネットには、上記第２キャビネットにおける上記係止爪が形成されている側と反対側の表面に当接するストッパ部材が取付固定されている。
【００１２】
すなわち、第２キャビネットの係止爪が第１キャビネットの係止孔に嵌入することにより、第１及び第２キャビネットが互いに係合している。さらに、第２キャビネットにおける係止爪が形成されている側と反対側の表面にストッパ部材が当接しており、そのストッパ部材が第１キャビネットに取付固定されているので、係止爪が係止孔から外れる方向における第２キャビネットの移動が規制される。
【００１３】
よって、ストッパ部材を設けた領域において、第１及び第２キャビネットが強固に係合されるので、ネジによるキャビネットの締結箇所を減らすことが可能になる。したがって、第１キャビネットと第２キャビネットとを確実に固定しつつ、キャビネットに設けるボスを減少させて、できるだけ大きなバッテリを収容することが可能になる。
【００１４】
第２の発明は、第１の発明において、
上記ストッパ部材は、ストッパ本体と該ストッパ本体から延設されたストッパ係合爪とを有し、上記ストッパ係合爪が上記第１キャビネットに形成されている係合穴に嵌入することによって上記第１キャビネットに係合している。
【００１５】
すなわち、ストッパ部材のストッパ係合爪を第１キャビネットの係合穴に嵌入することにより、ストッパ部材は第１キャビネットに容易に取付固定される。
【００１６】
第３の発明は、第２の発明において、
上記第１キャビネットには、上記係合穴に嵌入している上記ストッパ係合爪の先端が露出するように開口した開口部が形成されている。
【００１７】
すなわち、第１キャビネットの開口部からストッパ係合爪の先端が露出しているので、ストッパ部材と第１キャビネットとの係合状態を容易に解除することが可能になる。
【００１８】
第４の発明は、第１乃至第４の発明の何れか１つにおいて、
上記バッテリは矩形板状に形成され、
上記ストッパ部材は、上記バッテリの長辺に沿って複数配置されている。
【００１９】
すなわち、要求される第１及び第２キャビネットの組み付け強度に応じて、第１キャビネットに取付固定するストッパ部材の数を容易に増減させることが可能になる。
【発明の効果】
【００２０】
本発明によれば、第２キャビネットにおける係止爪が形成されている側と反対側の表面にストッパ部材を当接させるようにしたので、第１キャビネットと第２キャビネットとを確実に固定しつつ、キャビネットに設けるボスを減少させて、できるだけ大きなバッテリを収容することができる。
【図面の簡単な説明】
【００２１】
【図１】図１は、図２におけるI−I線断面図である。
【図２】図２は、携帯電話機の外観を示す斜視図である。
【図３】図３は、携帯電話機の構成を示す分解斜視図である。
【図４】図４は、携帯電話機の構成を示す分解斜視図である。
【図５】図５は、図２におけるV−V線断面図である。
【図６】図６は、リアカバーを外した状態の携帯電話機を示す斜視図である。
【図７】図７は、ストッパ部材の外観を示す斜視図である。
【図８】図８は、ストッパ部材の外観を示す斜視図である。
【図９】図９は、図６におけるストッパ部材近傍を拡大して示す斜視図である。
【図１０】図１０は、図９におけるストッパ部材を取り外した状態の第１及び第２キャビネットを示す斜視図である。
【図１１】図１１は、図１０における第２キャビネットを取り外した状態の第１キャビネットを示す斜視図である。
【発明を実施するための形態】
【００２２】
以下、本発明の実施形態を図面に基づいて詳細に説明する。尚、本発明は、以下の実施形態に限定されるものではない。
【００２３】
図１〜図１１は、本発明の実施形態における携帯端末としての携帯電話機１（スマートフォン）を示している。図２は携帯電話機１の外観を示す斜視図である。図１は図２におけるI−I線断面図であり、図５は図２におけるV−V線断面図である。図３及び図４は、携帯電話機１の構成を示す分解斜視図である。図６は、リアカバー５を外した状態の携帯電話機１を示す斜視図である。
【００２４】
携帯電話機１は、図１及び図５に示すように、表示部２を有する正面側の第１キャビネット３と、この第１キャビネット３の背面側を覆う第２キャビネット４とを有し、この第２キャビネット４の背面側がリアカバー５で覆われている。第１キャビネット３と第２キャビネット４とリアカバー５とにより形成される空間には、例えばポリマー電池等からなるバッテリ６が収容されている。
【００２５】
第１及び第２キャビネット３，４は、図３及び図４に示すように、それぞれ略長方形状の外形を有している。バッテリ６は、第１及び第２キャビネット３，４の中央領域よりも当該キャビネット３，４の長手方向（以下、キャビネット長手方向と称する）の一方側に偏って配置されている。尚、図示を省略するが、キャビネット長手方向の他方側には、例えば撮像ユニット等の機能ユニットが配置されている。
【００２６】
第１キャビネット３は、図４に示すように、枠状の樹脂部材からなると共に、その枠内を閉塞するようにステンレス薄板などからなる板金８がインサート成形されている。図１及び図２に示すように、表示部２は、この板金８の正面側に配置され、例えば液晶ディスプレイ及びタッチパネル等を含み、第１キャビネット３の枠状のディスプレイ収容凹部３ａに両面テープ等により貼り付けられている。
【００２７】
図４に示すように、第１キャビネット３には、ネジ穴としての複数のボス部３ｃが形成されている。ボス部３ｃは、バッテリ６が配置される領域におけるキャビネット長手方向両側に配置されている。一方、バッテリ６が配置される領域における第１及び第２キャビネット３，４の短手方向（以下、キャビネット短手方向と称する）の両側には、ボス部３ｃが配置されていない。
【００２８】
第１キャビネット３には、第２キャビネット４を固定するためのキャビネット固定部３ｂが立設されている。キャビネット固定部３ｂは、第１キャビネット３の外縁に沿って壁状に延びている。キャビネット固定部３ｂのキャビネット内側には、矩形板状のバッテリ６が配置されている。また、図１１に拡大して示すように、キャビネット固定部３ｂには、複数の係止孔３ｄが形成されている。
【００２９】
第２キャビネット４は、図３及び図４に示すように、枠状の樹脂部材からなり、上記ボス部３ｃに対応して複数のボス部４ａが形成されている。図３、図４及び図６に示すように、このボス部４ａにネジ９を挿通してボス部３ｃに締結するようになっている。
【００３０】
第２キャビネット４は、キャビネット内側に突出した係止爪４ｂを有している。そして、係止爪４ｂが第１キャビネット３の係止孔３ｄに嵌入されることにより、第２キャビネット４が第１キャビネット３に係合するようになっている。尚、第２キャビネット４と第１キャビネット３との間には、パッキン１２が介在されている。
【００３１】
本発明の主たる特徴として、図１及び図５に示すように、第１キャビネット３には、第２キャビネット４における係止爪４ｂが形成されている側と反対側の表面に当接するストッパ部材１３が取付固定されている。ストッパ部材１３は、図４及び図６に示すように、バッテリ６の長辺に沿って複数配置されている。
【００３２】
ここで、図７及び図８は、ストッパ部材１３の外観を示す斜視図である。図９は、図６におけるストッパ部材１３近傍を拡大して示す斜視図である。また、図１０は、図９におけるストッパ部材１３を取り外した状態の第１及び第２キャビネット３，４を示す斜視図である。図１１は、図１０における第２キャビネット４を取り外した状態の第１キャビネット３を示す斜視図である。
【００３３】
ストッパ部材１３は、例えば樹脂材料からなり、図７及び図８に拡大して示すように、ストッパ本体１３ａと、ストッパ本体１３ａからそれぞれ延設されたストッパ係合爪１３ｂ及びストッパ支持部１３ｃとを有している。
【００３４】
ストッパ本体１３ａは、第２キャビネット４に当接する当接面１３ｄと、当接面１３ｄとは反対側に突出した突起部１３ｅとを有している。ストッパ係合爪１３ｂは、鉤状の先端部１３ｆを有している。ストッパ支持部１３ｃは、ストッパ係合爪１３ｂの左右両側に設けられ、板状に形成されている。
【００３５】
一方、第１キャビネット３には、図１、図５及び図１１に示すように、上記ストッパ係合爪１３ｂ及びストッパ支持部１３ｃが嵌入する係合穴３ｅが複数形成されている。また、第１キャビネット３には、図９に示すように、係合穴３ｅに嵌入しているストッパ係合爪１３ｂの先端部１３ｆが露出するように開口した開口部３ｆが形成されている。
【００３６】
そして、ストッパ係合爪１３ｂが係合穴３ｅに嵌入することにより、ストッパ部材１３が第１キャビネット３に係合している。さらに、ストッパ支持部１３ｃが係合穴３ｅに隙間なく嵌入することによって、ストッパ部材１３のがたつきを防止されている。
【００３７】
上記携帯電話機１を製造する場合には、まず、図４及び図１０に示すように、第１キャビネット３と第２キャビネット４とをバッテリ６を間に収容するように組み付ける。このとき、図１に示すように、第２キャビネット４の係止爪４ｂが第１キャビネット３の係止孔３ｄに嵌入することにより、第１及び第２キャビネット３，４は互いに係合する。
【００３８】
次に、図６及び図９に示すように、ストッパ部材１３を第１キャビネット３に取り付けると共に第１及び第２キャビネット３，４をネジ９により締結固定する。
【００３９】
このとき、ストッパ部材１３のストッパ係合爪１３ｂ及びストッパ支持部１３ｃが、第１キャビネット３の係合穴３ｅに嵌入する。そのことにより、ストッパ部材１３は、ストッパ支持部１３ｃによりガタ付きが防止された状態で、ストッパ係合爪１３ｂにより第１キャビネット３に係合する。
【００４０】
そうして、ストッパ本体１３ａの当接面１３ｄが、第２キャビネット４における係止爪４ｂが形成されている側と反対側の表面に当接するため、第２キャビネット４の移動がストッパ部材１３により規制される。その後、リアカバー５を第１キャビネット３に係合させる。
【００４１】
このように構成することで、携帯電話機１は、第２キャビネット４の係止爪４ｂが第１キャビネット３の係止孔３ｄに嵌入することにより、第１及び第２キャビネット３，４が互いに係合する。さらに、第２キャビネット４における係止爪４ｂが形成されている側と反対側の表面にストッパ部材１３が当接しており、そのストッパ部材１３が第１キャビネット３に取付固定されているので、係止爪４ｂが係止孔３ｄから外れる方向における第２キャビネット４の移動を規制することができる。よって、ストッパ部材１３を設けた領域において、第１及び第２キャビネット３，４を強固に係合できるので、ネジ９によるキャビネット３，４の締結箇所を減らすことが可能になる。
【００４２】
したがって、ストッパ部材１３を用いることにより、第１キャビネット３と第２キャビネット４とを確実に固定しつつ、キャビネット３，４に設けるボス部３ｃ，４ａを減少させて、できるだけ大きなバッテリ６を収容できる。
【００４３】
さらに、ストッパ部材１３のストッパ係合爪１３ｂを第１キャビネット３の係合穴３ｅに嵌入することにより、ストッパ部材１３を第１キャビネット３に係合させる構成としたので、ストッパ部材１３を第１キャビネット３に容易に取付固定できる。
【００４４】
しかも、第１キャビネット３の開口部３ｆからストッパ係合爪１３ｂの先端が露出しているので、ストッパ部材１３と第１キャビネット３との係合状態を容易に解除できる。よって、携帯電話機１の製造工程において不具合が生じたときに、第１及び第２キャビネット３，４の組み付け作業を容易にやり直すことができる。
【００４５】
さらにまた、ストッパ部材１３をバッテリ６の長辺に沿って複数配置することにより、要求される第１及び第２キャビネット３，４の組み付け強度に応じて、第１キャビネット３に取付固定するストッパ部材１３の数を容易に増減できるので、設計変更にも柔軟に対応できる。
【００４６】
（その他の実施形態）
本発明は、上記実施形態について、以下のような構成としてもよい。
【００４７】
すなわち、上記実施形態では、ストッパ部材１３をバッテリ６の長辺に沿って複数配置したが、ストッパ部材１３の数や配置はこれに限定されず、バッテリ６の短辺に沿ってストッパ部材１３を設けてもよい。また、上記実施形態とは逆に、第１キャビネット３に係止爪を形成する一方、第２キャビネット４に係止孔を設ける構成としてもよい。
【００４８】
上記実施形態では、携帯端末は、スマートフォンを含む携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００４９】
なお、以上の実施形態は、本質的に好ましい例示であって、本発明、その適用物や用途の範囲を制限することを意図するものではない。
【産業上の利用可能性】
【００５０】
以上説明したように、本発明は、突き合わせる一対のキャビネット内にバッテリを有する携帯電話機などの携帯端末について有用である。
【符号の説明】
【００５１】
１      携帯電話機 
３      第１キャビネット 
３ｄ    係止孔 
３ｅ    係合穴 
３ｆ    開口部 
４      第２キャビネット 
４ｂ    係止爪 
６      バッテリ 
１３      ストッパ部材 
１３ａ    ストッパ本体 
１３ｂ    ストッパ係合爪     
【図１】
2014017727.tif 000003
【図２】
2014017727.tif 000004
【図３】
2014017727.tif 000005
【図４】
2014017727.tif 000006
【図５】
2014017727.tif 000007
【図６】
2014017727.tif 000008
【図７】
2014017727.tif 000009
【図８】
2014017727.tif 000010
【図９】
2014017727.tif 000011
【図１０】
2014017727.tif 000012
【図１１】
2014017727.tif 000013